(57)【要約】      （修正有）【課題】卓上における騒音を低減しかつ使用者の視野の一部を遮断することにより、事務作業環境の改善を図り、携帯や収納に便利な卓上防音スクリーンを提供する。【解決手段】卓上防音スクリーン１００は、二枚の防音パネル２Ａ、２Ｂと、支持パネル１と、金属棒をＬ字に曲げた二本の支持部材３Ａ、３Ｂとを備え、二枚の防音パネルと支持パネルとは縦置きで少なくとも同一の高さ及び同一の厚みを有し、防音パネルは、板部材と枠部材及び吸音部材からなり、縦置き状態で上面の一端近傍に所定の深さの孔を備え、さらに、支持パネルは縦置き状態で上面の両端近傍に所定の深さの孔を備え、二枚の防音パネルは横置きかつ支持パネルは縦置きとして、平面視において両社がコの字になるように、支持部材の一端は支持パネルの孔に、他端は防音パネルの孔にそれぞれ挿入され、防音パネルの内側が使用者の方を向くように配置される。【選択図】図１
0003220560.tif 000002
【実用新案登録請求の範囲】
【請求項１】
二枚の防音パネルと、前記二枚の防音パネルを支持する支持パネルと、金属棒をＬ字に曲げた二本の支持部材とを備える卓上防音スクリーンであって、
前記二枚の防音パネルと前記支持パネルとは縦置きで少なくとも同一の高さ及び同一の厚みを有し、
前記防音パネルは、外側に配置する板部材と、内側に配置する該板部材の周囲を囲む枠部材及び該枠部材の枠内に埋め込まれた吸音部材からなり、縦置き状態で上面の一端近傍に所定の深さの孔を備え、
前記支持パネルは縦置き状態で上面の両端近傍に所定の深さの孔を備え、
前記二枚の防音パネルは横置きかつ前記支持パネルは縦置きとして、平面視において両者がコの字になるように、前記支持部材の一端は前記支持パネルの前記孔に、他端は前記防音パネルの前記孔にそれぞれ挿入され、前記防音パネルの内側が使用者の方を向くように配置される卓上防音スクリーン。
【請求項２】
前記支持パネルは、外側に配置する板部材と、内側に配置する該板部材の周囲を囲む枠部材及び該枠部材の枠内に埋め込まれた吸音部材からなることを特徴とする請求項１に記載の卓上防音スクリーン。
【請求項３】
縦置きした前記支持パネルの両側に縦置きの前記防音パネルを固定して、一枚のパネルとし、さらに前記二本の支持部材の一端を前記二枚の防音パネルの前記各孔に挿入し他端を中央に向けて係合部材で係合することができることを特徴とする請求項１又は２に記載の卓上防音スクリーン。
【請求項４】
前記吸音部材は、フェノール樹脂発泡体からなることを特徴とする請求項１ないし３のいずれか１項に記載の卓上防音スクリーン。
【考案の詳細な説明】
【技術分野】
【０００１】
本考案は、卓上に設置して、会話や物音を吸収しかつ視野の一部を遮断することによって個室感を生み出す卓上防音スクリーンに関する。
【背景技術】
【０００２】
ＰＣデバイスの普及により、一時的な仮使用机のデスクワークが一般化するようになり、定まった専用机を利用しない一時的な共有作業（以下、「コワーキング」という。）形式のデスク利用が広まっている。空いている机を自由に使うタイプの作業場はフリーアドレスのワークスペースとも呼ばれ、コワーキングスペースは、自習やビジネス、起業など種々の用途で使われている。
コワーキングスペースにおいては、多くの利用者が出入りするため、利用者間で交流を楽しみながら、仕事をすることができるというメリットがある一方、周りの雑音や人の声が気になるという利用者も少なくない。
この場合、騒音を避けるための従来の手段としては、ヘッドホンや耳栓が一般に用いられることもある。このような耳栓は、外界からの音を手軽に遮断することができても、他人からの呼びかけが聞こえず、これに対応することができない。運営されているコワーキングスペースの中には、壁や仕切りを設けた半個室を設けていることもあるが、コワーキングというコンセプトからは矛盾することになり、コワーキングスペースの運営者にとっては経営効率が低下するという問題が発生する。
【０００３】
特許文献１に係る発明は、オフィスのデスク上において外界からの音を手軽に遮断することができる卓上防音衝立を提案している。この卓上防音衝立は、防音構造を有する複数のパネルを、卓（例えば事務机）上でヒンジ部材を介して適度に広げることにより、卓上防音衝立を卓上に立てた状態で設置することができ、利用しないときは複数のパネルを分解して収納したり携帯したりすることができるものである。
【先行技術文献】
【特許文献】
【０００４】
【特許文献１】特開平９−９８８６７号公報
【考案の開示】
【考案が解決しようとする課題】
【０００５】
しかしながら、特許文献１に係る卓上防音衝立は、複数のパネルを広げるにあたり、使用者が作業をするため肘を広げるに十分なスペースを確保する必要がある。また、パネルを分解して携帯する場合は、複数のパネルを収容する袋に入れて携帯する必要がある。さらに、分解した複数のパネルを組み立てるにも、時間がかかる等問題がある。
【０００６】
以上のような問題点に鑑みて、本考案の目的は、周りの雑音や人の声を低減しかつ使用者の視野の一部を遮断することにより、事務作業環境の改善を図り、携帯や収納に便利な卓上防音スクリーンを提供することである。
【課題を解決するための手段】
【０００７】
本考案に係る卓上防音スクリーンは、二枚の防音パネルと、該二枚の防音パネルを支持する支持パネルと、金属棒をＬ字に曲げた二本の支持部材とを備え、二枚の防音パネルと支持パネルとは縦置きで少なくとも同一の高さ及び同一の厚みを有し、防音パネルは、外側に配置する板部材と、内側に配置する該板部材の周囲を囲む枠部材及び該枠部材の枠内に埋め込まれた吸音部材からなり、縦置き状態で上面の一端近傍に所定の深さの孔を備え、さらに、支持パネルは縦置き状態で上面の両端近傍に所定の深さの孔を備え、二枚の防音パネルは横置きかつ支持パネルは縦置きとして、平面視において両社がコの字になるように、支持部材の一端は支持パネルの孔に、他端は防音パネルの孔にそれぞれ挿入され、防音パネルの内側が使用者の方を向くように配置されることを特徴とする。また、支持パネルも、防音パネルと同様に、外側に配置する板部材と、内側に配置する該板部材の周囲を囲む枠部材及び該枠部材の枠内に埋め込まれた吸音部材からなるようにしてもよい。
【０００８】
なお、携帯モードとして、縦置きした支持パネルの両側に縦置きの防音パネルを固定して、一枚のパネルとし、さらに二本の支持部材の一端を二枚の防音パネルの各孔に挿入し他端を中央に向けて係合部材で係合するようにすれば、持ち運びが容易になる。
【０００９】
防音パネルに使用される吸音部材は、フェノール樹脂発泡体を材料とすると好適であるが、特に限定されるわけではない。
【考案の効果】
【００１０】
作業空間が卓上防音スクリーンによって、会話や物音を吸収しかつ視野の一部を遮断して良好な作業環境を確保することができ、かつ、個室感を生み出すことができる。また、卓上防音スクリーンを卓上に設置した状態において、防音パネルが作業者の耳近傍に配置されても、作業者の作業に支障をきたさず、良好な作業環境を確保することができる。さらに、卓上防音スクリーンを使用しない場合には、防音パネルを簡単に取り外すことができ、さらに防音パネルを支持パネルの両側に取り付けて一枚パネルとし、支持部材を取り付ければ該支持部材は把手となり持ち運びが容易である。
【図面の簡単な説明】
【００１１】
【図１】本考案に係る卓上防音スクリーン１００の卓上モードの状態を示す概略斜視図である。
【図２】本考案に係る卓上防音スクリーン１００の左防音パネル２Ａの内側面とこれを支持する支持パネル１、支持部材３Ａの配置状態を示す図である。
【図３】本考案に係る卓上防音スクリーン１００の卓上モードの状態を示す平面図である。
【図４】本考案に係る卓上防音スクリーン１００の携帯モードの状態を示す正面図である。
【図５】本考案に係る卓上防音スクリーン１００の携帯モードの状態を示す背面図である。
【考案を実施するための形態】
【００１２】
以下、本考案の実施例を図面に基づき詳細に説明する。各図において、同一部分には同一番号を付し、重複する説明は省略する。また、図面は、本考案を理解するために誇張して表現している場合もあり、必ずしも縮尺どおり精緻に表したものではないことに留意されたい。なお、本考案は下記に示される実施例に限られるものではない。
【実施例１】
【００１３】
実施例１を図面を参照して詳細に説明する。
【００１４】
図１は、実施例１に係る卓上防音スクリーン（以下、単に「卓上防音スクリーン」という。）１００の卓上モードの状態を示す概略斜視図であり、図２は、卓上防音スクリーン１００の左防音パネル２Ａの内側面とこれを支持する支持パネル１、支持部材３Ａの配置状態を示す図である。図３は、卓上防音スクリーン１００の卓上モードの状態を示す平面図である。図４及び５は、卓上防音スクリーン１００の携帯モードの状態を示す図である。
【００１５】
図１を参照する。卓上防音スクリーン１００は、二枚の防音パネル２Ａ、２Ｂと、該二枚の防音パネル２Ａ、２Ｂを支持する支持パネル１と、金属棒をＬ字に曲げた二本の支持部材３Ａ、３Ｂとを備える。二枚の防音パネル２Ａ、２Ｂと支持パネル１とは縦置きで少なくとも同一の高さ及び同一の厚みを有する。
【００１６】
図２を参照する。前述したとおり、図２は、卓上防音スクリーン１００の左防音パネル２Ａの内側面とこれを支持する支持パネル１、支持部材３Ａの配置状態を示す図である。図示していない右防音パネル２Ｂについても同様である。ここで「内側」とは図１に示す作業者に面する側をいい、外側とは内側の背面側をいう。防音パネル２Ａは、外側に配置する板部材２０Ａと、内側に配置する該板部材２０Ａの周囲を囲む枠部材２１Ａと、該枠部材２１Ａの枠内に埋め込まれた吸音部材２２Ａからなる。なお、図２に示す防音パネル２Ａは横置きで配置され、後述する携帯モード（支持パネル１の両側に防音パネル２Ａ、２Ｂを配置して携帯できる状態）においては縦置きとしていることに留意されたい。つまり、横置き状態では図２に向かって右側面の、縦置き状態では上面の一端近傍に所定の深さの孔２５ａを備えている。
【００１７】
なお、実施例１において、防音パネル２Ａ、２Ｂは、板部材２０Ａ、２０Ｂ、枠部材２１Ａ、２１Ｂにベニヤ板を、防音パネルに使用される吸音部材２２Ａ、２２Ｂには、フェノール樹脂発泡体を使用している。フェノール樹脂発泡体は、熱硬化性で硬いプラスチックを発泡しており、その構造は連続気泡体で、気泡体の密度が高く空気を通しにくい特性を有する。より詳細には、フェノール樹脂発泡体は、レゾール型液状フェノール樹脂、界面活性剤、湿潤剤、発泡剤、硬化剤からなる樹脂組成物を、高速攪拌して、３０〜８０℃の温度で発泡硬化させることにより製造される。しかし、吸音部材の材料は、これに限定されず、グラスウールやロックウール等を使用してもよい。また、板部材も合板、樹脂、金属を使用してもよい。
この構成によれば、防音パネル２Ａ、２Ｂの外側で発生した音を、吸音部材２２Ａ、２２Ｂで吸音することにより内側に響かせないようにし、所望の防音性能を確保し、また、ベニヤ板で剛性を確保することにより、安定して自立させることができる。 
【００１８】
図２及び図３を参照すると、支持パネル１は縦置き状態で上面の両端近傍に所定の深さの孔１５ａ、１５ｂを備える。図３に示すとおり、二枚の防音パネル２Ａ、２Ｂを横置きかつ支持パネル１は縦置きとして、平面視において両者がコの字になるように、支持部材３Ａ、３Ｂの一端は支持パネル１の孔１５ａ、１５ｂに、他端は防音パネルの孔２５ａ、２５ｂにそれぞれ挿入され、防音パネル２Ａ、２Ｂの内側が作業者の方を向くように配置される。このように、二枚の防音パネル２Ａ、２Ｂは、支持部材３Ａ、３Ｂの一端が支持パネル１の孔１５ａ、１５ｂを支軸として、図３の矢印に示すとおり回動することができる。したがって、卓上防音スクリーン１００を卓上に設置した状態において、作業者は適宜、防音パネル２Ａ、２Ｂを回動調整することで任意の角度の選択ができ、作業者の作業操作スペースは開放されているため、良好な作業環境を確保することができる。
なお、支持パネル１は、卓上モード（卓上に設置された状態）において、支持パネル１が倒れないよう、ストッパＳを装着するとよい。ストッパＳは凹部を備え、支持パネル１の底の一部を把持するようにしてもよいし、ヒンジ等を使用してもよく、特に限定しない。
【００１９】
図４及び５を参照する。図４及び５は、卓上防音スクリーン１００の携帯モードの状態を示す図である。ここで、図５に示すとおり、支持パネル１は、二枚の防音パネル２Ａ、２Ｂと同様に、板部材１０、枠部材１１にベニヤ板を、吸音部材１２には、フェノール樹脂発泡体を使用している。
実施例１に係る携帯モードにおいて、二枚の防音パネル２Ａ、２Ｂと支持パネル１は、当接する面に磁石片を配置し、磁力で合体固定するようにし、さらに支持パネル１の側面に凸部を設け、二枚の防音パネル２Ａ、２Ｂが支持パネル１の側面の凸部に当接するところに凹部を設けて、両者がずれ落ちないようにしている。しかし、このような構成に限定されず、種々の嵌合わせや係合等で合体して一枚のパネル化を図ることができる。図の詳細としては、図４（ａ）は、一枚のパネル状態となった卓上防音スクリーン１００の正面図、図５（ａ）はその背面図、図４（ｂ）はその平面図、図５（ｂ）は、支持部材３Ａ、３Ｂを取り外した状態の平面図である。
図４及び図５に示すとおり、支持パネル１は縦置き状態で上面の両端近傍に所定の深さの孔１５ａ、１５ｂを備える。上述したとおり、縦置きした支持パネル１の両側に縦置きの防音パネル２Ａ、２Ｂをそれぞれに配置した磁石片で固定して一枚のパネルとし、さらに二本の支持部材３Ａ、３Ｂの一端を二枚の防音パネルの各孔１５ａ、１５ｂに挿入し他端を中央に向けて係合部材４で係合している。実施例１において、係合部材４は、中央で向かい合う二本の支持部材３Ａ、３Ｂの端を格納保持する円筒状の部材を使用しているが、特に限定されない。
このように、卓上防音スクリーン１００は、一枚のパネルに一体化し、支持部材３Ａ、３Ｂを取り付ければ該支持部材３Ａ、３Ｂは把手となり持ち運びが容易となる。
【００２０】
以上、本考案に係る卓上防音スクリーンにおける好ましい実施形態を図示して説明してきたが、本考案の技術的範囲を逸脱することなく種々の変更が可能であることは理解されるであろう。
【産業上の利用可能性】
【００２１】
本考案に係る卓上防音スクリーンは、ときに利用者間で交流を楽しみつつ、集中したいときは手軽に個室感を確保することができるコワーキングスペースにおいて利用することができる。また、コワーキングスペースを採用するオフィスのデスクや、図書館、家庭でも利用することができる。特に、これまで音環境に関してほとんど注意を払われることがなかった事務室、会議室、応接室、カウンター等様々な場所でも利用することが可能である。
【符号の説明】
【００２２】
１００  卓上防音スクリーン
１  支持パネル
１０  板部材
１１  枠部材
１２  吸音部材
１５ａ  １５ｂ  孔
２Ａ  左防音パネル
２０Ａ  板部材
２１Ａ  枠部材
２２Ａ  吸音部材
２５ａ  孔
２Ｂ  右防音パネル
２０Ｂ  板部材
２１Ｂ  枠部材
２２Ｂ  吸音部材
２５ｂ  孔
３Ａ  左支持部材
３Ｂ  右支持部材
４  係合部材
Ｓ  ストッパ
【図１】
0003220560.tif 000003
【図２】
0003220560.tif 000004
【図３】
0003220560.tif 000005
【図４】
0003220560.tif 000006
【図５】
0003220560.tif 000007